(57)【要約】【課題】主駆動源にクラッチおよび変速機を介して車輪を駆動する車両において、前記車両の搭乗者が感じる変速ショックを緩和することができる車両動力補助システムを提供する。【解決手段】車両動力補助システムは、直流電源８と、直流電源８から電力が供給されることで従動輪７を回転駆動可能な駆動トルク、および直流電源８へ電力を回生する回生電力を発生させる電動発電機５と、電動発電機５を制御する制御装置１０とを備える。制御装置１０は、直流電源８からの直流電力を交流電力に変換し、電動発電機５で発生した交流電力を直流電力に変換する電力変換回路２１と、電力変換回路２１を制御する制御器２５とを有する。制御器２５は、車速、エンジントルク、クラッチ２の開閉の情報、および変速シフトの情報を受けて、クラッチ２の開閉に伴う車両に作用する進行方向の力の変化を緩和する指令トルクを電力変換回路２１に出力する。【選択図】図１
2020199826.tif 000002
【特許請求の範囲】
【請求項１】
主駆動源にクラッチおよび変速機を介して車輪を駆動する車両に搭載される車両動力補助システムであって、
前記車両に搭載された直流電源と、
この直流電源から電力が供給されることで前記主駆動源と機械的に非連結である車輪を回転駆動可能な駆動トルク、および前記直流電源へ電力を回生する回生電力を発生させる少なくとも前後輪の一方において、左右輪で独立して前記駆動トルク、回生トルクを発生する電動発電機と、
この電動発電機を制御する制御装置と、を備え、
前記制御装置は、前記直流電源からの直流電力を交流電力に変換し、前記電動発電機で発生した交流電力を直流電力に変換する電力変換回路と、この電力変換回路を制御する制御器とを有し、この制御器は、少なくとも前記車両の速度、前記主駆動源のトルク、前記クラッチの開閉の情報、および前記変速機の変速シフトの情報を受けて、前記クラッチの開閉に伴う前記車両に作用する進行方向の力の変化を緩和する指令トルクを前記電力変換回路に出力する車両動力補助システム。
【請求項２】
請求項１に記載の車両動力補助システムにおいて、前記制御器は、前記クラッチが接続された走行時である通常走行時に前記変速シフトの情報を受けた後、前記クラッチが再接続されるまでの間、または、前記クラッチが切断された走行時である惰行走行時にアクセル指令またはブレーキ指令を受けたとき、
前記主駆動源のトルクと前記変速シフトの情報である変速前後の変速比より算出した駆動輪軸トルクを基準として求められる指令トルクを、前記指令トルクとして前記電力変換回路に出力する車両動力補助システム。
【請求項３】
請求項２に記載の車両動力補助システムにおいて、前記制御器は、前記車両の惰行走行時に前記駆動輪軸トルクを算出し、前記惰行走行から前記通常走行に移行するときに、変速前後の駆動輪軸トルクに、クラッチ接続時からの時間および係数を乗じた値を加えた指令トルクを、前記指令トルクとして前記電力変換回路に出力する車両動力補助システム。
【請求項４】
請求項１ないし請求項３のいずれか１項に記載の車両動力補助システムにおいて、前記電動発電機が、前記主駆動源と機械的に非連結である車輪を回転支持する車輪用軸受に支持されている車両動力補助システム。
【発明の詳細な説明】
【技術分野】
【０００１】
この発明は、車両動力補助システムに関し、クラッチの開閉に伴う車両に作用する進行方向の力の変化を緩和し得る技術に関する。
【背景技術】
【０００２】
従来技術として、一般的な車輪用軸受およびブレーキの構成を大きく変えることなく、簡素でかつコンパクトな構成で、リムの内径側の空間を効率的に活用して車輪内に全体を収めることができる補助動力装置付き車輪用軸受装置を提案している。この補助動力装置付き車輪用軸受装置は、足回りフレーム部品の大きな設計変更も不要で、走行用の主駆動源と併用して駆動アシスト等による走行性能、制動性能、燃料消費量等を向上させ得る（特許文献１）。
【０００３】
他の従来技術として、エンジンＥＣＵが、所定の実施条件の成立に応じて、クラッチオフにして車両を惰性走行状態とし、惰性走行中における所定の解除条件の成立に応じて、クラッチオンにして惰性走行状態を解除する車両制御装置が提案されている（特許文献２）。前記エンジンＥＣＵは、惰性走行での車両減速状態において、その際の車両の減速度合である実減速度合を算出する減速度合算出手段と、減速度合算出手段により算出された実減速度合が、アクセルオフかつクラッチオンの状態での車両の減速度合に基づき定められる閾値よりも大きいか否かを判定する判定手段と、実減速度合が閾値よりも大きいと判定された場合に、惰性走行を解除し、実減速度合が閾値よりも小さいと判定された場合に、惰性走行を維持する走行制御手段と、を備える。これにより、より惰性走行状態を保ち燃費向上の効果が得られる。
【先行技術文献】
【特許文献】
【０００４】
【特許文献１】特開２０１８−５２４８２号公報
【特許文献２】特開２０１６−１５６４９８号公報
【発明の概要】
【発明が解決しようとする課題】
【０００５】
力行時の変速または特許文献２に記載されているクラッチを切断した惰行状態から、クラッチを接続して通常走行状態に戻る際に車輪の駆動力が階段状に変化することにより、変速ショックを生じる。なお、この明細書において、通常走行とは、力行走行および減速走行のことを指す。惰行走行とは、クラッチを切断して慣性力により車両が走行していることを指す。
【０００６】
変速ショックの発生原理について説明する。
エンジンを動力源とする自動車は、エンジンからエンジントルクを発生させ、変速機、ディファレンシャルギヤなどを介して、駆動輪軸トルクとして車輪に伝達される。変速機、ディファレンシャルギヤはそれぞれに変速比があり、変速機で変速比を変化させる場合に出力軸の回転速度とトルクは反比例の関係にある。また、変速機においては車速またはエンジン回転速度に応じて変速比を段階的に変化させて使用する例が多い。
【０００７】
（１）変速比を小さくした場合、出力軸の回転速度は上昇し、トルクは減少する。
（２）変速比を大きくした場合、出力軸の回転速度は低下し、トルクは増加する。
クラッチが切断して変速動作を行い、再度クラッチを接続する際に、エンジンと駆動輪の回転速度およびトルクが適合していないと駆動輪の軸トルクが急激に変化し、変速ショックとして搭乗者に違和感を与える。また、ＣＶＴのような無段変速機構であってもニュートラルギヤからの復帰または電子制御によるＡＴ／ＭＴモード時には同様である。
【０００８】
この発明の目的は、主駆動源にクラッチおよび変速機を介して車輪を駆動する車両において、前記車両の搭乗者が感じる変速ショックを緩和することができる車両動力補助システムを提供することである。
【課題を解決するための手段】
【０００９】
この発明の車両動力補助システムは、主駆動源１にクラッチ２および変速機３を介して車輪６を駆動する車両４に搭載される車両動力補助システムであって、
前記車両４に搭載された直流電源８と、
この直流電源８から電力が供給されることで前記主駆動源１と機械的に非連結である車輪７を回転駆動可能な駆動トルク、および前記直流電源８へ電力を回生する回生電力を発生させる少なくとも前後輪の一方において、左右輪で独立して前記駆動トルク、回生トルクを発生する電動発電機５と、
この電動発電機５を制御する制御装置１０と、を備え、
前記制御装置１０は、前記直流電源８からの直流電力を交流電力に変換し、前記電動発電機５で発生した交流電力を直流電力に変換する電力変換回路２１と、この電力変換回路２１を制御する制御器２５とを有し、この制御器２５は、少なくとも前記車両４の速度、前記主駆動源１のトルク、前記クラッチ２の開閉の情報、および前記変速機３の変速シフトの情報を受けて、前記クラッチ２の開閉に伴う前記車両４に作用する進行方向の力の変化を緩和する指令トルクを前記電力変換回路２１に出力する。
【００１０】
この構成によると、主駆動源１と機械的に非連結である車輪７を回転駆動可能な駆動トルクを発生させる電動発電機５を備え、制御器２５が、車両走行時に変速機３の変速シフトの情報を受けて、クラッチ接続時に変速段の変速前後の駆動輪軸トルクの差を埋めるように、指令トルクを電力変換回路２１に出力する。これにより、クラッチ２の開閉に伴う車両に作用する進行方向の力の変化を緩和することができる。したがって、クラッチ２の開閉に伴う車両に作用する進行方向の力の変化を、電動発電機５が補うことで、車両の搭乗者が感じる変速ショックを緩和することができる。
【００１１】
前記制御器２５は、前記クラッチ２が接続された走行時である通常走行時に前記変速シフトの情報を受けた後、前記クラッチ２が再接続されるまでの間、または、前記クラッチ２が切断された走行時である惰行走行時にアクセル指令またはブレーキ指令を受けたとき、
前記主駆動源１のトルクと前記変速シフトの情報である変速前後の変速比より算出した駆動輪軸トルクを基準として求められる指令トルクを、前記指令トルクとして前記電力変換回路２１に出力してもよい。このように駆動輪軸トルクを算出することで、変速ショックを緩和するトルクが電動発電機５により精度良く補われる。
前記通常走行時とは、クラッチ２が接続された状態で、力行走行または減速走行が行われている状態である。
前記惰行走行とは、クラッチ２を切断して車両４が慣性力により走行している状態である。
【００１２】
前記制御器２５は、前記車両４の惰行走行時に前記駆動輪軸トルクを算出し、前記惰行走行から前記通常走行に移行するときに、変速前後の駆動輪軸トルクに、クラッチ接続時からの時間および係数を乗じた値を加えた指令トルクを、前記指令トルクとして前記電力変換回路に出力してもよい。この場合、変速機３の段数を切り替える場合だけでなく、惰行走行から通常走行に移行するときの変速ショックを緩和することができる。
【００１３】
前記電動発電機５が、前記主駆動源１と機械的に非連結である車輪７を回転支持する車輪用軸受９に支持されていてもよい。この場合、電動発電機５が簡易で省スペースで済む構成となるため、車体の足回りの構造等を変更することなく、この電動発電機５を前記車輪用軸受９に簡単に設置することができる。
【発明の効果】
【００１４】
この発明の車両動力補助システムは、主駆動源にクラッチおよび変速機を介して車輪を駆動する車両に搭載される車両動力補助システムであって、前記車両に搭載された直流電源と、この直流電源から電力が供給されることで前記主駆動源と機械的に非連結である車輪を回転駆動可能な駆動トルク、および前記直流電源へ電力を回生する回生電力を発生させる少なくとも前後輪の一方において、左右輪で独立して前記駆動トルク、回生トルクを発生する電動発電機と、この電動発電機を制御する制御装置と、を備え、前記制御装置は、前記直流電源からの直流電力を交流電力に変換し、前記電動発電機で発生した交流電力を直流電力に変換する電力変換回路と、この電力変換回路を制御する制御器とを有し、この制御器は、少なくとも前記車両の速度、前記主駆動源のトルク、前記クラッチの開閉の情報、および前記変速機の変速シフトの情報を受けて、前記クラッチの開閉に伴う前記車両に作用する進行方向の力の変化を緩和する指令トルクを前記電力変換回路に出力する。このため、主駆動源にクラッチおよび変速機を介して車輪を駆動する車両において、前記車両の搭乗者が感じる変速ショックを緩和することができる。
【図面の簡単な説明】
【００１５】
【図１】この発明の実施形態に係る車両用動力補助システムを備えた車両を概念的に示すブロック図である。
【図２】同車両用動力補助システムにおける電動発電機を車輪用軸受に設置した例を車輪と共に示す垂直断面図である。
【図３】同車両用動力補助システムにおける変速時のフローチャートの構成例を示す図である。
【図４Ａ】同変速時（シフトアップ時）のトルク変動を示す図である。
【図４Ｂ】同変速時（シフトダウン時）のトルク変動を示す図である。
【図５】惰行走行から通常走行に移行するときのトルク変動を示す図である。
【図６】この発明の他の実施形態に係る車両用動力補助システムにおける変速時のフローチャートの構成例を示す図である。
【発明を実施するための形態】
【００１６】
［第１の実施形態］
この発明の実施形態に係る車両用動力補助システムを図１ないし図５と共に説明する。図１に示すように、車両用動力補助システムは、主駆動源であるエンジン１、クラッチ２および変速機３を搭載する車両４において、電動発電機５の駆動により変速ショックを緩和する。車両用動力補助システムは、主駆動源が前輪または後輪または四輪のいずれの車両の場合にも適用が可能であり、特に以下のような条件を全て充足する車両において好適である。
【００１７】
・前輪駆動または後輪駆動などの非駆動輪（従動輪）を有する。
・パワーステアリング、エア・コンディショナーなどの電装補機類を駆動するためのバッテリー（一般的に１２Ｖまたは２４Ｖ）と同等以上の電動システム用補助バッテリー（いわゆる４８Ｖバッテリー）を有する。
・前記従動輪に電動発電機が一体となった車輪用軸受が備えられている。
・前記電動発電機をコントロールする制御用ＥＣＵが車内に搭載されており、前記制御用ＥＣＵと前記電動システム用補助バッテリーとが電気的に接続されている。
【００１８】
＜車両用動力補助システムを備えた車両について＞
図１に示すように、車両４の主駆動源であるエンジン１は、駆動輪６に、クラッチ２および変速機３を介して機械的に接続されている。主駆動源と機械的に非連結である従動輪７となる車輪に、電動発電機５が搭載されている。電動発電機５は、車両４の少なくとも前後一方の左右輪に独立に搭載される。なお電動発電機５は、エンジン１と連結された駆動輪６に搭載されてもよい。また主駆動源であるエンジン１は、前後輪のいずれか一方を駆動してもよく、四輪を駆動してもよい。さらに主駆動源は、電動発電機５とは別の電動発電機でもよいし、エンジン１と電動発電機を組み合わせたハイブリッドでもよい。
【００１９】
この車両動力補助システムは、車両４に搭載された直流電源８と、従動輪７を回転支持する車輪用軸受９（図２）に支持された電動発電機５と、この電動発電機５を制御する制御装置１０と、電動発電機５の軸回転角度を検出する角度検出器１１とを備える。
直流電源８は、繰り返し充放電が可能な二次電池またはコンデンサを使用できる。
＜車輪用軸受について＞
図２に示すように、車輪用軸受９は、固定輪である外輪１２と、複列の転動体１３と、回転輪である内輪１４とを有する。外輪１２に複列の転動体１３を介して内輪１４が回転自在に支持されている。内外輪１４，１２間の軸受空間には、グリースが封入されている。内輪１４は、外輪１２よりも軸方向のアウトボード側に突出した箇所にハブフランジ１４ａを有する。外輪１２は、インボード側の端部において、ナックル等の足回りフレーム部品Ｎｋにボルト１５で取付けられている。なおこの明細書において、車両動力補助システムが車両に搭載された状態で車両の車幅方向の外側寄りとなる側をアウトボード側と呼び、車両の車幅方向の中央寄りとなる側をインボード側と呼ぶ。
【００２０】
ハブフランジ１４ａのアウトボード側の側面には、ブレーキロータ１６と従動輪７のホイール７ａとが軸方向に重なった状態で、ハブボルト１７により取り付けられている。ホイール７ａの外周に、車輪のタイヤ７ｂが取り付けられている。ホイール７ａの軸方向幅内に、車輪用軸受９全体が収まっている。
【００２１】
＜電動発電機等について＞
この電動発電機５は、駆動トルクおよび回生電力（回生トルク）を発生させる。電動発電機５は、外輪１２の外周面に取付けられたステータ１８と、このステータ１８の外周側に位置する環状のロータ１９とを備える。この電動発電機５は、例えば、アウターロータ型のＳＰＭまたはＩＰＭ同期電動機である。同期電動機において、ステータ１８の巻き線形式として分布巻、集中巻の各形式が採用できる。
【００２２】
ステータ１８は、コアと、このコアの各ティースに巻回されたコイル（図示せず）とを有する。ロータ１９は、回転ケース２０と、この回転ケース２０の内周に設けられる磁性体と、この磁性体に設けられる図示外の永久磁石とを備え、回転ケース２０がハブフランジ１４ａに取付けられている。ハブフランジ１４ａの外周面に、例えば、嵌合、溶接、または接着等により、回転ケース２０のアウトボード側の内周面が固定されている。なお、電動発電機５は、同期電動機に限定されるものではなく、例えば、誘導電動機、直流電動機等、電気エネルギーと回転エネルギーを相互に変換できればよく、変速機構を備えてもよい。
【００２３】
角度検出器１１は、例えば、ハブフランジ１４ａと外輪１２との間に設置され、電動発電機５の回転角度を検出する。角度検出器１１は、レゾルバ、光学式エンコーダ、磁気式エンコーダ、ホールセンサ、ＭＲセンサ等を使用し得る。
【００２４】
＜制御系について＞
図１に示すように、制御装置１０は、電力変換回路２１と、車両情報検出器２２と、電流検出器２３と、速度演算器２４と、制御器２５とを備える。直流電源８は、左右の電動発電機５，５に共通に用いられる電源であり、電動発電機５毎に設けられた電力変換回路２１，２１をそれぞれ介して電動発電機５，５に接続される。電力変換回路２１は、直流電源８からの直流電力を交流電力に変換し、電動発電機５で発生した交流電力を直流電力に変換する。電動発電機５が三相交流電動発電機であれば、電力変換回路２１は、直流と三相交流を相互に変換する強電回路であるインバータである。制御器２５は、電力変換回路２１を制御する弱電回路である。
【００２５】
速度演算器２４は、角度検出器１１，１１より二つの電動発電機５，５の回転角度をそれぞれ取得し、電動発電機５，５の回転速度および車両の速度（車速）を演算する。これら回転速度、車速は制御器２５に与えられる。電流検出器２３は電動発電機５の電流を検出し、検出された電流は制御器２５に与えられる。制御器２５において、電流検出器２３より出力された電流値から電動発電機５のトルクを算出することも可能である。車両情報検出器２２は、図示外の車両ＥＣＵから出力される車速、アクセル指令、ブレーキ指令、エンジン１のトルク、クラッチ２の開閉の情報、変速機３の変速シフトの情報を検出する。車両情報検出器２２は、実際に自動車に実装されている車両用自己診断システムを流用または兼用する。
【００２６】
制御器２５は、少なくとも車速、エンジン１のトルク、クラッチ２の開閉の情報、および変速機３の変速シフトの情報を受けて、クラッチ２の開閉に伴う車両４に作用する進行方向の力の変化を緩和する指令トルクを電力変換回路２１に出力する。
以下では、制御器２５において、電動発電機５のトルクを算出する方法の例について述べる。
図３は、車両用動力補助システムにおける変速時のフローチャートの構成例を示す図である。以下の説明において図１も適宜参照しつつ説明する。
【００２７】
本処理開始後、制御器２５は、車両情報検出器２２から車速を取得し、車速が０ｋｍ／ｈより大であれば（ステップＳ１：ｙｅｓ）、クラッチ２の開閉の情報およびエンジン回転数の情報を取得する（ステップＳ２）。制御器２５は、クラッチ２を切っているとき（クラッチ「開」）、（ステップＳ２：ｙｅｓ）、車両４が惰行走行であると判断し、前記条件を充足しないとき（ステップＳ２：ｎｏ）、車両４が通常走行であると判断する。
【００２８】
＜通常走行の場合＞
ステップＳ３において、制御器２５は、車両情報検出器２２からシフトアップまたはシフトダウンするかの変速シフトの情報を取得する。シフトアップまたはシフトダウンするとき（ステップＳ３：ｙｅｓ）、クラッチ２の切断を開始する（ステップＳ４）。制御器２５がクラッチ２の切断を確認すると（ステップＳ５：ｙｅｓ）、シフトアップまたはシフトダウンを開始する（ステップＳ６）。その後、駆動輪軸トルクの階段状の変化による変速ショックを緩和するためのモータトルクを演算し（ステップＳ９）、クラッチ２の接続を開始し（ステップＳ１０）、クラッチ２の接続を確認後（ステップＳ１１：ｙｅｓ）、モータトルクを出力する。
【００２９】
この電動発電機５で発生させるトルクの算出式を式（６）〜（９）に示す。
式（６）は変速前の駆動輪軸トルク、式（７）は変速後の駆動輪軸トルクを示す。制御器２５は、変速前の駆動輪軸トルクと変速後の駆動輪軸トルクの差分を補助する形で電動発電機５のトルクを決定する。したがって、シフトアップ時は式（８）、シフトダウン時は式（９）からモータトルクの目標値（指令トルク）を算出し電力変換回路２１に出力する。
Ｔ０１＝Ｔｅ・Ｉｔ１・Ｉｆ      …式（６）
Ｔ０２＝Ｔｅ・Ｉｔ２・Ｉｆ      …式（７）
シフトアップ時：Ｔｍ＝−ＡΔｔ＋（Ｔ０１−Ｔ０２）      …式（８）
但し、Ｔｍ＞０
シフトダウン時、惰行走行時：Ｔｍ＝ＡΔｔ＋（Ｔ０１−Ｔ０２）      …式（９）
但し、Ｔｍ＞０
【００３０】
Ｔ０１：変速前駆動輪軸トルク
Ｔ０２：変速後駆動輪軸トルク
Ｔｅ：エンジントルク
Ｉｔ１：変速前変速比
Ｉｔ２：変速後変速比
Ｉｆ：変速機以降の変速比
Ｔｍ：モータトルク
Ａ：係数
Δｔ：クラッチ接続時からの時間［ｓ］
【００３１】
図４Ａはシフトアップ時、図４Ｂはシフトダウン時のそれぞれのトルク変動を示す図である。シフトアップ時、シフトダウン時において、変速前後の駆動輪軸トルクが階段状ではなく滑らかに繋がる。したがって、クラッチ接続時の駆動輪軸トルクの急変がモータトルクにより緩和される。
【００３２】
＜惰行走行の場合＞
図１および図３に示すように、ステップＳ７において、制御器  は、車両情報検出器  からアクセルによる加速またはブレーキによる減速の情報を確認し（ステップＳ７：ｙｅｓ）、惰行走行を解除するためエンジンを再始動する（ステップＳ８）。その後制御器２５は、クラッチ２を接続するまでの間に変速機３による変速比の変更、クラッチ２の接続、エンジントルクの情報を車両情報検出器２２より確認し、駆動輪軸トルクの階段状の変化による変速ショックを電動発電機５のトルクで緩和する。
【００３３】
クラッチ接続前の駆動輪軸トルクとクラッチ接続後の駆動輪軸トルクの差分を補助する形で電動発電機５のトルクを決定する。式（６）はクラッチ接続前の駆動輪軸トルク、式（７）はクラッチ接続後の駆動輪軸トルクを示している。なお惰行走行時はクラッチ２をエンジン１から切り離しているため変速比率を零とする。したがって、制御器２５は、シフトダウン時の式（９）を適用しモータトルクを演算し（ステップＳ９）、クラッチ２の接続を開始し（ステップＳ１０）、クラッチ２の接続を確認後（ステップＳ１１：ｙｅｓ）、モータトルクを出力する。
【００３４】
惰行走行から通常走行に移行するときの例を図５に示す。惰行走行から通常走行に移行するとき、駆動輪軸トルクが階段状ではなく滑らかに繋がる。したがって、クラッチ接続時の駆動輪軸トルクの急変がモータトルクにより緩和される。
【００３５】
＜作用効果＞
以上説明した車両動力補助システムによれば、エンジン１と機械的に非連結である従動輪７を回転駆動可能な駆動トルクを発生させる電動発電機５を備えたため、エンジン１の動力補助を行い、車両の走行性能を向上することができる。また電動発電機５は直流電源８へ電力を回生する回生電力を発生させるため、電動発電機５および車両４の補機等への電力供給に寄与し得る。
【００３６】
従来技術では、車両走行時に変速する場合、クラッチ接続時に駆動輪の軸トルクが急激に変化する。
そこで、本構成では、制御器２５が、車両走行時に変速機３の変速シフトの情報を受けて、クラッチ接続時に変速段の変速前後の駆動輪軸トルクの差を埋めるように、指令トルクを電力変換回路２１に出力する。これにより、クラッチ２の開閉に伴う車両に作用する進行方向の力の変化を緩和することができる。電力変換回路２１は、与えられた指令トルクに従って直流電力を交流電力に変換し、電動発電機５で発生した交流電力を直流電力に変換する。したがって、クラッチ２の開閉に伴う車両に作用する進行方向の力の変化を、電動発電機５が補うことで、車両４の搭乗者が感じる変速ショックを緩和することができる。
【００３７】
＜他の実施形態について＞
以下の説明においては、各実施の形態で先行して説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００３８】
クラッチを切断した状態でエンジンがアイドリング回転数で回転している場合に、図６のステップＳ２ａに示すように、制御器は、クラッチを切っているか否かによって車両が通常走行か惰行走行かを判断してもよい。前記惰行走行の場合、制御器がアクセルによる加速またはブレーキによる減速の情報を確認した後（ステップＳ７：ｙｅｓ）、ステップＳ９に移行する。その他図３と同様の構成である。
【００３９】
車両動力補助システムは、ＡＴ／ＭＴ車を問わず、変速比の段階的な変化に伴い変化する駆動輪軸トルクのトルク差を従動輪に搭載した電動発電機が補うことで、搭乗者が感じる変速ショックを緩和することができる。また車両動力補助システムは、惰行走行から通常走行に移行する場合だけでなく、変速機の段数を切り替える場合に適用可能である。
【００４０】
二つの電動発電機を車体に設置した、いわゆる二モータオンボード式の車両にも車両動力補助システムを適用可能である。その他一モータオンボード式の車両に車両動力補助システムを適用してもよい。
【００４１】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４２】
１…エンジン（主駆動源）、２…クラッチ、３…変速機、４…車両、５…電動発電機、６…駆動輪（車輪）、７…従動輪（車輪）、８…直流電源、９…車輪用軸受、１０…制御装置、２１…電力変換回路、２５…制御器
【図１】
2020199826.tif 000003
【図２】
2020199826.tif 000004
【図３】
2020199826.tif 000005
【図４Ａ】
2020199826.tif 000006
【図４Ｂ】
2020199826.tif 000007
【図５】
2020199826.tif 000008
【図６】
2020199826.tif 000009